(57)【要約】【課題】ＳＩＭカード及びメモリカードを互いに分離するメモリカードソケット、及びＳＩＭカードを固定するために使用されるＳＩＭ固定部材の厚さが著しく小さく、薄型携帯電話への適応性を改善する、携帯電話用のメモリカード及びＳＩＭカード用取付けソケットを提供すること。【解決手段】取付けソケットは、非金属である絶縁材料製のソケット本体１０を有する。ソケット本体は、挿入凹部１３、挿入凹部の残余領域に垂直方向に穿孔された取付け孔１２、及び挿入凹部に垂直方向に穿孔された実装孔１５を有する。取付けソケットは、ソケット本体より薄く且つ硬い金属材料製の分離プレート２０、及びソケット本体より薄く且つ硬い金属材料製のカードハウジング３０をさらに有する。【選択図】図１
2008299853.tif 000002
【特許請求の範囲】
【請求項１】
非金属である絶縁材料製のソケット本体であって、ＳＩＭカードの挿入用の空間を提供するよう上面の一部領域に区画された挿入凹部、残余領域に垂直方向に穿孔された結果、メモリカード接続端子が前記ソケット本体の上面から露出するように該ソケット本体の下面から上方に結合する取付け孔、及び前記挿入凹部からＳＩＭカード接続端子を露出するよう前記挿入凹部内で垂直方向に穿孔された実装孔を有する前記ソケット本体と、
該ソケット本体より薄く且つ硬い金属材料製の分離プレートであって、前記ソケット本体の上面に分離可能に結合され、前記挿入凹部の天井を区画するよう前記挿入凹部を覆う前記分離プレートと、
前記ソケット本体より薄く且つ硬い金属材料製のカードハウジングであって、固定されるメモリカードが前記ソケット本体上で前記分離プレートの上面に固定されることができるように該ソケット本体に固定された前記カードハウジングと
を具備することを特徴とする、携帯電話用のメモリカード及びＳＩＭカード用取付けソケット。
【請求項２】
前記ソケット本体は、前記挿入凹部の対向する両側端に形成された上方へ突出する結合部をさらに有し、
前記分離プレートは、該分離プレートの対向する両側端に形成された逆Ｕ字状の結合部を有することを特徴とする請求項１記載の取付けソケット。
【請求項３】
前記ソケット本体の前記上方へ突出する結合部の各々には、前記ソケット本体の外側面に、１対の結合突起が形成され、
前記分離プレートの前記逆Ｕ字状結合部の各々には、前記分離プレートの外側面に、１対の結合孔が穿孔され、
前記結合突起が前記結合孔内に弾性的にそれぞれ固定できることを特徴とする請求項２記載の取付けソケット。
【請求項４】
前記分離プレートの前記逆Ｕ字状結合部は、前記分離プレートの内側面に、弾性支持部材がそれぞれ形成され、前記メモリカードが前記分離プレートの上面に固定されると前記メモリカードを弾性的に支持することを特徴とする請求項２記載の取付けソケット。
【請求項５】
前記分離プレートは、前記ＳＩＭカード接続端子の上端に対応する位置に形成された前記短絡防止孔を有し、前記分離プレートと前記ＳＩＭカード接続端子の上端との接触による短絡を防止することを特徴とする請求項１記載の取付けソケット。
【請求項６】
前記ソケット本体は、該ソケット本体の両側面の末端に形成された外側に傾斜した突起をさらに有し、
前記カードハウジングは、内方へ曲げられた下端部を有し且つ前記ソケット本体の両側面に摺動可能に固定されるよう構成された両側壁と、前記外側に傾斜した突起に対応する位置で前記両側壁の末端に形成された固定孔とを有し、
前記外側に傾斜した突起が、前記固定孔内にそれぞれ弾性的に挿入されることを特徴とする請求項１記載の取付けソケット。
【請求項７】
前記カードハウジングは、前記メモリカード接続端子の上端に対応する位置に穿孔された短絡防止孔をさらに有し、前記カードハウジングと前記メモリカード接続端子の上端との接触による短絡を防止することを特徴とする請求項１記載の取付けソケット。
【請求項８】
前記カードハウジングは、開放端を有する開口をさらに有し、前記メモリカードの容易な挿抜を確保することを特徴とする請求項１記載の取付けソケット。
【発明の詳細な説明】
【技術分野】
【０００１】
本発明は、携帯電話用のメモリカード及びＳＩＭ（加入者識別モジュール）カード用の取付けソケットに関し、特に、ＳＩＭカード及びメモリカードを互いに分離するメモリカードソケット、及びＳＩＭカードを固定するために使用されるＳＩＭ固定部材の厚さが著しく小さく、薄型携帯電話への適応性を改善する、携帯電話用のメモリカード及びＳＩＭカード用取付けソケットに関する。
【背景技術】
【０００２】
一般に、携帯電話、ＰＤＡ（個人情報端末）、デジタルカメラ等の多様な機器において保存領域を拡張するために、外部要素としてメモリカードが使用されている。メモリカードの寸法及び規格に基づいて、メモリカードは、セキュアデジタル（ＳＤ）カード、マルチメディアカード（ＭＭＣ）、コンパクトフラッシュ（登録商標）（ＣＦ）、メモリースティック等の種々の形態で導入されてきた。
【０００３】
さらに、ＳＩＭカードが、例えば個人支払い情報等の保存に供し、非接触型の電子クレジットカード、トラフィックカード、プリペイドカード等として利用されている。今日、ＳＩＭカードの利用は、例えば携帯電話の種々の機能用に徐々に増加しつつある。
【０００４】
特に、携帯電話の機能はますます多様化している。クレジットカードが携帯電話機に受容されている場合、音楽及び動画のプレーヤと共に支払い手段として携帯電話を使用することができる。
【０００５】
しかし、従来の殆どの携帯電話は、ビデオオンデマンド（ＶＯＤ）又はＭＰ３プレーヤ機能を達成するためにメモリカードが組み込まれるように、主に製作されてきた。このように製作されたことは、メモリカードが携帯電話内に組み込まれているので、メモリカードの利用効率が低いという問題があり、利用者が携帯電話のメモリ容量を拡張することができない。
【０００６】
外部メモリカードは上述の問題を解決するために導入され、ＳＩＭカードと共にメモリカードを携帯電話に取り付けるための多様な技術が開発されてきた。
【０００７】
図５及び図６に示されるように、従来の携帯電話に設置されるメモリカード及びＳＩＭカード用取付けソケットは、携帯電話Ｐの一側面に形成された挿入穴ＨにメモリカードＭが挿抜できるように設けられたメモリカードソケット１００と、メモリカードソケット１００の一表面に一体に形成された複数のＳＩＭカード接続端子２０１及びＳＩＭ固定片２０２を有するＳＩＭカード実装部２００とを具備する。ＳＩＭカード実装部２００は、バッテリＢは携帯電話Ｐの後面から分離された状態で携帯電話Ｐの後面にＳＩＭカードＳを固定的に結合するのに使用される。この結果、ＳＩＭカードＳは、ＳＩＭカード接続端子２０１に接続される。
【０００８】
上述の構成を有する従来の取付けソケットにおいて、メモリカードＭは、メモリカードソケット１００の一側面からメモリカードソケット１００内に挿入され、ＳＩＭカードＳは、ＳＩＭカード実装部２００に実装されるように携帯電話Ｐの露出した後面に結合される。
【特許文献１】特開２００１−３０７８０１号公報
【発明の開示】
【発明が解決しようとする課題】
【０００９】
しかし、上述の従来技術は、以下の問題を有している。すなわち、ＳＩＭカード及びメモリカードを互いに分離するメモリカードソケット、及びＳＩＭ固定片２０２は、著しく厚いので、薄型携帯電話への適用が困難である。さらに、携帯電話に適用する場合、メモリカードソケットは、携帯電話の厚さを比較的増大させる主原因である。
【００１０】
従って、本発明は、上述の問題に鑑み案出されたものであり、ＳＩＭカード及びメモリカードを互いに分離するメモリカードソケット、及びＳＩＭカードを固定するために使用されるＳＩＭ固定部材の厚さが著しく小さく、薄型携帯電話への適応性を改善する、携帯電話用のメモリカード及びＳＩＭカード用取付けソケットを提供することを目的とする。
【００１１】
本発明は、構成部品の容易な分離及び結合を確保することができ、その結果、取付けソケットの組立が容易である、携帯電話用のメモリカード及びＳＩＭカード用取付けソケットを提供することを別の目的とする。
【００１２】
本発明は、カード用の接続端子及び金属プレート間の短絡を効果的に防止できる、携帯電話用のメモリカード及びＳＩＭカード用取付けソケットを提供することをさらに別の目的とする。
【課題を解決するための手段】
【００１３】
本発明によれば、上述の目的は、非金属である絶縁材料製のソケット本体であって、ＳＩＭカードの挿入用の空間を提供するよう上面の一部領域に区画された挿入凹部、残余領域に垂直方向に穿孔された結果、メモリカード接続端子がソケット本体の上面から露出するようにソケット本体の下面から上方に結合する取付け孔、及び挿入凹部からＳＩＭカード接続端子を露出するよう挿入凹部内で垂直方向に穿孔された実装孔を有するソケット本体と、ソケット本体より薄く且つ硬い金属材料製の分離プレートであって、ソケット本体の上面に分離可能に結合され、挿入凹部の天井を区画するよう挿入凹部を覆う分離プレートと、ソケット本体より薄く且つ硬い金属材料製のカードハウジングであって、固定されるメモリカードがソケット本体上で分離プレートの上面に固定されることができるようにソケット本体に固定されたカードハウジングとを具備する、携帯電話用のメモリカード及びＳＩＭカード用取付けソケットを提供することにより、達成することができる。
【００１４】
ソケット本体は、挿入凹部の対向する両側端に形成された上方へ突出する結合部をさらに有し、分離プレートは、分離プレートの対向する両側端に形成された逆Ｕ字状の結合部を有し、上方へ突出する結合部が逆Ｕ字状結合部内に挿入できるようにしてもよい。
【００１５】
ソケット本体の上方へ突出する結合部の各々には、ソケット本体の外側面に、１対の結合突起が形成され、分離プレートの各逆Ｕ字状結合部には、分離プレートの外側面に、１対の結合孔が穿孔され、結合突起が結合孔内にそれぞれ弾性的に固定できるようにしてもよい。
【００１６】
分離プレートの逆Ｕ字状結合部は、分離プレートの内側面に、弾性支持部材がそれぞれ形成され、メモリカードが分離プレートの上面に固定されるとメモリカードを弾性的に支持してもよい。
【００１７】
分離プレートは、ＳＩＭカード接続端子の上端に対応する位置に形成された短絡防止孔を有し、分離プレートとＳＩＭカード接続端子の上端との接触による短絡を防止してもよい。
【００１８】
ソケット本体は、その両側面の末端に形成された外側に傾斜した突起をさらに有し、カードハウジングは、内方へ曲げられた下端部を有し且つソケット本体の両側面に摺動可能に固定されるよう構成された両側壁と、外側に傾斜する突起に対応する位置で両側壁の末端に形成された固定孔とを有し、外側に傾斜した突起が固定孔内にそれぞれ弾性的に挿入されるようにしてもよい。
【００１９】
カードハウジングは、メモリカード接続端子の上端に対応する位置に穿孔された短絡防止孔をさらに有し、カードハウジングとメモリカード接続端子の上端との接触による短絡を防止してもよい。
【００２０】
カードハウジングは、開放端を有する開口をさらに有し、メモリカードの容易な挿抜を確保してもよい。
【発明を実施するための最良の形態】
【００２１】
以下、添付図面を参照して本発明の好適な一実施形態をより詳細に説明する。図１は本発明に従った取付けソケットを示す分解斜視図であり、図２は本発明に従った取付けソケットの組立後の状態を示す側断面図である。
【００２２】
図示されているように、本発明に従った取付けソケットは、非金属である絶縁材料製であり、メモリカード接続端子１１及びＳＩＭカード接続端子１４が一体に結合されたソケット本体１０と、ソケット本体１０の上面に結合される金属分離プレート２０と、ソケット本体１０の上面を覆うカードハウジング３０とを具備する。カードハウジング３０は、開放下面を有する。
【００２３】
ソケット本体１０は、その上面の一部領域に挿入凹部１３が形成されている。ソケット本体１０の挿入凹部１３に、ＳＩＭカード接続端子１４の結合用の実装孔１５が穿孔されている。また、ソケット本体１０の残余領域に、メモリカード接続端子１１の結合用の取付け孔１２が穿孔されている。
【００２４】
従って、メモリカード接続端子１１は、ソケット本体１０の下面から各取付け孔１２内に結合されているので、ソケット本体１０の上面から露出する。また、ＳＩＭカード接続端子１４は、挿入凹部１３の下面から露出するように各実装孔１５に結合されている。挿入凹部１３は、ＳＩＭカード挿入用の空間を提供する。
【００２５】
分離プレート２０は、挿入凹部１３を覆って挿入凹部１３の天井を区画するように、ソケット本体１０の上面に分離可能に結合する。分離プレート２０は、ソケット本体１０よりも薄く且つ硬い金属材料製である。
【００２６】
分離プレート２０を薄い金属プレートで作成した結果、メモリカード及びＳＩＭカード間に著しく薄い隔壁を得ることができ、取付けソケットの全体の厚さを小さくする。
【００２７】
ソケット本体１０には、挿入凹部１３の対向する両側端に、上方へ突出する結合部１６がさらに形成される。分離プレート２０は、その対向する両側端に、逆Ｕ字状結合部２１が形成される。ソケット本体１０の上方へ突出する結合部１６が分離プレート２０の逆Ｕ字状結合部２１に係止すると、分離プレート２０は、ソケット本体１０に分離可能に組み込まれ、ソケット本体１０及び分離プレート２０の容易に組立及び分解を確保する。
【００２８】
ソケット本体１０の上方へ突出する結合部１６の各々には、その外側面に、１対の結合突起１７が形成される。分離プレート２０の逆Ｕ字状結合部２１の各々は、その外側面に、１対の結合孔２２が穿孔されている。逆Ｕ字状結合部２１が上方へ突出する結合部１６内に挿入されると、結合突起１７は各結合孔２２内に弾性的に固定されるので、ソケット本体１０及び分離プレート２０がさらにしっかりと結合する。
【００２９】
分離プレート２０の双方の逆Ｕ字状結合部２１には、その内側面に、弾性支持部材２３がそれぞれ形成される。弾性支持部材２３は、メモリカードが分離プレート２０の上面に固定される際に、メモリカードの両側を弾性的に支持するよう作用する。
【００３０】
分離プレート２０は、ＳＩＭカード接続端子１４の上端に対応する位置に形成された短絡防止孔２４をさらに有する。短絡防止孔２４は、分離プレート２０がＳＩＭカード接続端子１４の上端と接触することを防止するので、ＳＩＭカード接続端子１４の上端及び分離プレート２０の接触による短絡を効果的に防止する。
【００３１】
カードハウジング３０は、メモリカードがソケット本体１０の上で分離プレート２０の上面に固定できるように、ソケット本体１０に固定される。カードハウジング３０は、ソケット本体１０よりも薄く且つ硬い金属材料製である。
【００３２】
カードハウジング３０を薄い金属プレートで作成する結果、メモリカード用の著しく薄い覆いが得られるので、取付けソケットの全体の厚さを小さくする。
【００３３】
さらに、ソケット本体１０は、その両側面の末端に形成された外側に傾斜した突起１８をさらに有する。カードハウジング３０は、内方へ曲げられた下端部を有する両側壁３１を具備する。固定孔３２は、外側に傾斜した突起１８に対応する位置に、両側壁３１の末端に形成される。カードハウジング３０の両側壁３１はソケット本体１０の両側面に沿って摺動すると、カードハウジング３０はソケット本体１０に結合される。カードハウジング３０の結合完了位置で、ソケット本体１０の外側に傾斜した突起１８は、カードハウジング３０の固定孔３２内に弾性的に挿入されるので、カードハウジング３０及びソケット本体１０がさらにしっかりと結合する。
【００３４】
カードハウジング３０は、メモリカード接続端子１１の上端に対応する位置に穿孔された短絡防止孔３３をさらに有する。これら短絡防止孔３３は、カードハウジング３０がメモリカード接続端子１１の上端に接触することを防止するので、メモリカード接続端子１１の上端及びカードハウジング３０の接触による短絡を効果的に防止する。
【００３５】
カードハウジング３０は、開口端を有する頂上開口３４をさらに有する。この頂上開口３４は、ユーザがカードハウジング３０内にメモリカードを挿入、又はカードハウジング３０からメモリカードを抜去する際に、ユーザがメモリカードを容易に把持することを可能にするので、メモリカードの手動による容易な挿抜を確保する。
【００３６】
図３は、本発明に従った、メモリカード及びＳＩＭカードに対する取付けソケットの結合関係を示す斜視図である。図４は、メモリカード及びＳＩＭカードに結合された本発明に従った取付けソケットを示す側断面である。
【００３７】
図示されているように、メモリカードＭは、カードハウジング３０及び分離プレート２０の上面間に区画された空間内に挿入される。メモリカードＭが一旦挿入されると、取付け孔１２内に配置されたメモリカード接続端子１１は、メモリカードＭの下面と密着するようになり、メモリカードＭに接続する。
【００３８】
この場合、ユーザは、開放端を有するカードハウジング３０の頂上開口３４を通ってカードハウジング３０内に深くメモリカードＭを容易に挿入できる。
【００３９】
ＳＩＭカードＳは、ソケット本体１０の上面に区画された挿入凹部１３と、挿入凹部１３の天井を区画する分離プレート２０の下面との間の空間内に挿入される。ＳＩＭカードＳが一旦挿入されると、実装孔１５内に配置されたＳＩＭカード接続端子１４は、ＳＩＭカードＳと接触し接続する。
【００４０】
上述したように、ＳＩＭカードＳはソケット本体１０内に挿入され、メモリカードＭは薄い金属プレート製である分離プレート２０及びカードハウジング３０間に区画された空間内に挿入されるので、取付けソケットの全体の厚さは著しく小さくすることができる。
【００４１】
上述の説明から明白であるように、本発明は、ＳＩＭカード及びメモリカードを互いに分離するメモリカードソケットと、ＳＩＭカードを固定するのに使用されるＳＩＭ固定部材とが著しく小さな厚さを有し、薄型携帯電話への適用性を改善する、携帯電話用のメモリカード及びＳＩＭカード用取付けソケットを提供する。さらに、薄い取付けソケットを提供することにより、本発明は、携帯電話の全体の厚さを小さくする効果を有する。
【００４２】
また、本発明は、構成部品の容易な分離及び結合を確保する効果を有する結果、取付けソケットが容易に組み立てられる。
【００４３】
さらに、本発明は、メモリカード及びＳＩＭカード用の接続端子と、取付けソケットの金属プレートとの短絡を効果的に防止する効果を有する。
【００４４】
本発明の好適な実施形態を例示目的で開示したが、当業者であれば、特許請求の範囲に開示された本発明の範囲及び真髄から逸脱することなく、種々の変形、付加及び置換が可能であることは明白であろう。
【図面の簡単な説明】
【００４５】
【図１】本発明に従った取付けソケットを示す分解斜視図である。
【図２】本発明に従った組立後の取付けソケットを示す側断面図である。
【図３】本発明に従った取付けソケットと、メモリカード及びＳＩＭカードとの結合関係を示す斜視図である。
【図４】本発明に従った取付けソケットがメモリカード及びＳＩＭカードと結合した状態を示す側断面図である。
【図５】従来技術の一例を示す斜視図である。
【図６】従来技術の要部を示す拡大斜視図である。
【符号の説明】
【００４６】
１０  ソケット本体
１１  メモリカード接続端子
１２  取付け孔
１３  挿入凹部
１４  ＳＩＭカード接続端子
１５  実装孔
１６  上方へ突出する結合部
１７  結合突起
１８  外側に傾斜した突起
２０  分離プレート
２１  逆Ｕ字状結合部
２２  結合孔
２３  弾性支持部材
２４  短絡防止孔
３０  カードハウジング
３１  側壁
３２  固定孔
３３  短絡防止孔
３４  開口（頂上開口）
Ｍ    メモリカード
Ｓ    ＳＩＭカード
【図１】
2008299853.tif 000003
【図２】
2008299853.tif 000004
【図３】
2008299853.tif 000005
【図４】
2008299853.tif 000006
【図５】
2008299853.tif 000007
【図６】
2008299853.tif 000008